(57)【要約】  本発明にかかる光学特性測定装置は、測定開口を有し、互いに異なるジオメトリの複数の光学系を用いることによって前記測定開口に臨む測定対象における互いに異なる複数の光学特性を測定する光学特性測定部と、前記測定開口に臨む前記測定対象を直接的に観察する測定対象観察部と、前記測定開口に臨む前記測定対象を照明する観察用光源とを備える。
2017195573.tif 000002
【特許請求の範囲】
【請求項１】
測定開口を有し、互いに異なるジオメトリの複数の光学系を用いることによって前記測定開口に臨む測定対象における互いに異なる複数の光学特性を測定する光学特性測定部と、
前記測定開口に臨む前記測定対象を直接的に観察する測定対象観察部と、
前記測定開口に臨む前記測定対象を照明する観察用光源とを備える、
光学特性測定装置。
【請求項２】
前記光学特性測定部を収容するハウジングをさらに備え、
前記測定対象観察部は、前記ハウジングに形成された貫通開口である、
請求項１に記載の光学特性測定装置。
【請求項３】
前記貫通開口に嵌め込まれた透光性部材をさらに備える、
請求項２に記載の光学特性測定装置。
【請求項４】
前記測定対象観察部は、前記貫通開口を開閉するシャッター機構をさらに備える、
請求項２または請求項３に記載の光学特性測定装置。
【請求項５】
前記シャッター機構は、前記貫通開口を開閉するシャッター部材と、前記シャッター部材を開閉操作する開閉操作部材とを備える、
請求項４に記載の光学特性測定装置。
【請求項６】
前記開閉操作部材は、前記ハウジングの外部から手動可能に前記ハウジングに保持される、
請求項５に記載の光学特性測定装置。
【請求項７】
前記ハウジングは、前記測定開口を挟んで前記測定開口の両側に対向配置された第１および第２側壁を備え、
前記貫通開口は、前記第１側壁に形成された第１貫通開口と、前記第２側壁に形成され第２貫通開口とを備える、
請求項２ないし請求項６の何れか１項に記載の光学特性測定装置。
【請求項８】
前記シャッター部材は、前記第１貫通開口を開閉する第１シャッター部材と、前記第２貫通開口を開閉する第２シャッター部材とを備え、
前記開閉操作部材は、１つであり、
前記開閉操作部材の操作に伴って前記第１シャッター部材と前記第２シャッター部材とが連動し得るように前記開閉操作部材と第１シャッター部材および前記第２貫通開口とが連結されている、
請求項２ないし請求項７の何れか１項に記載の光学特性測定装置。
【請求項９】
前記光学特性測定部は、前記測定対象の光学特性を測定するために前記測定開口に臨む前記測定対象に測定光を当てる光源を備え、
前記貫通開口は、前記光源からの光路および光路延長線と重ならない位置に配置されている、
請求項２ないし請求項８の何れか１項に記載の光学特性測定装置。
【請求項１０】
前記測定対象観察部は、前記測定開口に臨む前記測定対象を直接的に撮像するカメラと、
前記カメラで撮像された前記測定対象を表示する表示部とを備える、
請求項１記載の光学特性測定装置。
【請求項１１】
前記光学特性測定部は、前記測定対象の光沢を測定する光沢測定部を備え、
前記光沢測定部は、前記測定対象に測定光を当てる光沢測定用光源を備え、
前記観察用光源は、前記光沢測定用光源である、
請求項１ないし請求項１０の何れか１項に記載の光学特性測定装置。
【請求項１２】
前記光沢測定部は、前記光沢測定用光源が前記測定対象に当たる光沢用照射径の大きさを切り替える照射径切り替え部を備える、
請求項１１に記載の光学特性測定装置。
【発明の詳細な説明】
【技術分野】
【０００１】
本発明は、例えば色、光沢などの所定の光学特性を測定する光学特性測定装置に関する。
【背景技術】
【０００２】
測定対象の光学特性を測定する光学特性測定装置として、例えば測定対象の色を測定する測色計、あるいは、測定対象の光沢を測定する光沢計などが従来から広く知られている。例えば特許文献１に、測定対象で反射した反射光を受光して測定対象の表面特性を測定する光学特性測定装置が開示されている。【０００３】
この特許文献１に開示された光学測定器は、光源と、光源から出射して測定位置に配置された測定対象で反射した測定光をさらに反射するミラーと、前記ミラーで反射する測定光の光路に沿って配置され前記ミラーで反射された測定光を集光する集光レンズと、前記集光レンズの後側焦点面に受光面を有し該受光面で受光した測定光に応じた受光信号を出力する受光素子と、前記測定位置に対し前記ミラーを挟んだ位置に配置されたファインダとを備え、また、前記ミラーは、傾き調整可能に可動できるように配置されており、ファインダから前記ミラーを介して測定対象の測定位置を確認できるようにしたものである。【０００４】
しかしながら、前記特許文献１では、ミラーが移動する場合ではそのミラーの位置や傾きがずれる場合が生じ、測定対象の測定位置を明確かつ正確に見難い場合があり、その結果、測定再現性が低下して性能を低下させるおそれがある。
【先行技術文献】
【特許文献】
【０００５】
【特許文献１】特開２００３−３４４１６４号公報
【発明の概要】
【０００６】
本発明は、ミラーを介することなく測定対象の測定位置を直接確認できる光学特性測定装置を提供することを目的とする。
【０００７】
本発明にかかる光学特性測定装置は、測定開口を有し、互いに異なるジオメトリの複数の光学系を用いることによって前記測定開口に臨む測定対象における互いに異なる複数の光学特性を測定する光学特性測定部と、前記測定開口に臨む前記測定対象を直接的に観察する測定対象観察部と、前記測定開口に臨む前記測定対象を照明する観察用光源とを備える。したがって、本発明にかかる光学特性測定装置は、ミラーを用いないで測定対象の測定位置を直接確認できる。
【０００８】
上記並びにその他の本発明の目的、特徴及び利点は、以下の詳細な記載と添付図面から明らかになるであろう。
【図面の簡単な説明】
【０００９】
【図１】実施形態における光学特性測定装置を右前方側から見た斜視図である。
【図２】図１に示す光学特性測定装置を左前方側から見た斜視図である。
【図３】図１に示す光学特性測定装置の側面図である。
【図４】図１に示す光学特性測定装置の底面図である。
【図５】図１に示す光学特性測定装置が有する光学特性測定部の断面図である。
【図６】図１に示す光学特性測定装置が有する光学特性測定部の構成の模式図である。
【図７】図１に示す光学特性測定装置が有する測定開口に対する貫通開口の位置関係を説明するための説明図である。
【図８】図１に示す光学特性測定装置が有するシャッター機構の斜視図である。
【図９】前記シャッター機構の変形例の斜視図である。
【図１０】図９に示す変形例のシャッター機構がハウジングに取り付けられた状態の斜視図である。
【図１１】前記光学特性測定装置が有する測定対象観察部の変形例であるカメラを配置した構成の模式図である。
【発明を実施するための形態】
【００１０】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１１】
図１は、実施形態における光学特性測定装置を右前方側から見た斜視図である。図２は、図１に示す光学特性測定装置を左前方側から見た斜視図である。図３は、図１に示す光学特性測定装置の側面図である。図４は、図１に示す光学特性測定装置の底面図である。なお、図のＸ１を前方向、Ｘ２を後方向とし、Ｙ１方向を右方向、Ｙ２方向を右方向として説明する。図５は、図１に示す光学特性測定装置が有する光学特性測定部の断面図である。図６は、図１に示す光学特性測定装置が有する光学特性測定部の構成の模式図である。図７は、図１に示す光学特性測定装置が有する測定開口に対する貫通開口の位置関係を説明するための説明図である。図８は、図１に示す光学特性測定装置が有するシャッター機構の斜視図である。
【００１２】
本実施形態における光学特性測定装置１は、ハウジング２と、ハウジング２に収容された光学特性測定部３（図５に図示）と、ハウジング２に形成された貫通開口（測定対象観察部）４ａ、４ｂとを備えている。
【００１３】
光学特性測定部３は、互いに異なるジオメトリの複数の光学系を用いることによって測定開口４ａ、４ｂに臨む測定対象１００における互いに異なる複数の光学特性を測定するように構成されている。
【００１４】
この実施形態では、光学特性測定部３は、図５および図６に示すように、測定開口３０と、測定開口３０に配置された測定対象１００の光沢を測定する光沢測定部３１と、測定開口３０に配置された測定対象１００の色（物体色、光源色）を測定する測色部３２と、光沢測定部３１および測色部３２で得た測定データに基づいて光沢値、色彩値を求める制御部３３と、制御部３３で求めた光沢値や色彩値等を表示するモニター（表示部）３４とを備えている。
【００１５】
光沢測定部３１は、例えば光沢測定用光源３１１と、測定対象１００に当たる光沢測定用光源３１１の光の照射径を測定対象１００の測定部位の大きさに応じて適宜に切り替える照射径切り替え部３１２と、光沢測定用照明レンズ３１３と、光沢測定用受光レンズ３１４と、光沢検出部３１５等を備え、これらは、光沢用のジオメトリとなるように構成されている。
【００１６】
このように構成された光沢測定部３１は、光沢測定用光源３１１からの光を照射径切り替え部３１２、光沢測定用照明レンズ３１３を介して測定開口３０に臨む測定対象１００の測定部位に当て、さらに、測定対象１００で反射された光を光沢測定用受光レンズ３１４を介して光沢検出部３１５で受光して光沢に関する光沢データを検出する。そして、検出した光沢に関する光沢データに基づいて制御部３３で公知の方法で光沢値が求められ、この求められた光沢値がモニター３４で表示される。照射径切り替え部３１２は、例えば、径の大きさの異なる複数の貫通孔（例えば第１径の第１貫通孔と前記第１径より小さい第２径の第２貫通孔）を形成した遮光性の板状部材であり、光沢測定用光源３１１からの照明光が第１貫通孔を通ることで照射径を第１径とし、光沢測定用光源３１１からの照明光が第２貫通孔を通ることで照射径を第２径とするように、光路と直交する方向に移動可能に構成されている。
【００１７】
測色部３２は、測色測定用光源３２１と、照射光反射ミラー３２２と、反射光ミラー３２３と、測定用受光径切り替えレンズ３２４と、分光部３２６等を備え、これらは、測色用のジオメトリとなるように構成されている。
【００１８】
このように構成された測色部３２は、測色測定用光源３２１からの光を照射光反射ミラー３２２を介して測定開口３０に臨む測定対象１００の測定部位に当て、さらに、測定対象１００で反射された光を反射光ミラー３２３、測定用受光径切り替えレンズ３２４を介して分光部３２６で受光して測色に関する測色データを検出する。そして、検出した測色データに基づいて制御部３３で公知の方法で色彩値が求められ、この求められた色彩値がモニター３４で表示される。
【００１９】
これら光沢測定部３１における光沢用のジオメトリと、測色部３２における測色用のジオメトリとは、互いに異なる。一例では、光沢用のジオメトリは、６０°：６０°、つまり測定対象１００を試料法線に対して６０度で照明し、その鏡面反射方向で反射光を受光し、一方、測色用のジオメトリは、４５°：０°、つまり測定対象１００を試料法線に対して４５度で照明し、０度方向で反射光を受光する。これらは、他のジオメトリであっても良い。
【００２０】
ハウジング２は、図１ないし図４に示すように、上壁２１と、対向する一対の右側壁（第１側壁）２２および左側壁（第２側壁）２３と、底壁２４と、後壁２５とを備えている。
【００２１】
上壁２１は、上述の光学特性測定部３のモニター３４を保持しており、このモニター３４に、例えば光学特性測定部３で測定した測定値が表示されるようになっている。
【００２２】
底壁２４は、前部側と後部側とにそれぞれ、測定対象１００を測定するに際して測定対象１００に当接される円形状の第１当接部２４１と略矩形状の第２当接部２４２とを備えている。第１当接部２４１の中心部に、上述の測定開口３０が円形状に形成されている。
【００２３】
右側壁２２には、第１貫通開口４ａが形成されている。この第１貫通開口４ａは、測定開口３０に臨む測定対象１００を直接的に観察するためのものであり、右側壁２２の外面から内面に貫通するように形成されている。この実施形態では、第１貫通開口４ａに、可視光を透過する透明樹脂や透明ガラス等の、透光性部材２２１が嵌め込まれている。
【００２４】
右側壁２２には、第１貫通開口４ａを開閉するシャッター機構５１ａ〜５４ａが保持されている。この実施形態のシャッター機構は、図３および図８に示すように、第１貫通開口４ａを開閉する第１シャッター部材５１ａと、第１シャッター部材５１ａを開閉操作する第１開閉操作部材５２ａと、第１シャッター部材５１ａと第１開閉操作部材５２ａとを連結した第１連結部材５３ａと、第１開閉センサー５４ａとを備えている。
【００２５】
第１シャッター部材５１ａは、第１貫通開口４ａの全体を塞ぎ得る大きさの板状体から構成されている。
【００２６】
第１連結部材５３ａは、中間部に屈曲部を有する略Ｌ字状（略く字状）を呈しており、一端が第１シャッター部材５１ａに固定的に連結され、他端が第１開閉操作部材５２ａに回動自在に連結されている。この第１連結部材５３は、屈曲部が右側壁２２に回動自在に保持されている。
【００２７】
第１開閉操作部材５２ａは、２つの回動規制軸５２１１を有する操作本体部５２１と、操作本体部５２１を手動操作するための操作突片５２２と、操作本体部５２１を付勢する付勢部材であるコイルばね５２３とを備えている。
【００２８】
操作突片５２２は、操作本体部５２１から一体的に突設されるように形成されており、ハウジング２の外側から操作できるように右側壁２２の外側に配置されている。
【００２９】
操作本体部５２１は、右側壁２２に回動自在に取り付けられている。操作本体部５２１は、回動規制軸５２１１によって第１シャッター部材５１ａが第１貫通開口４ａの全体を塞いだ図３に示す閉鎖位置から第１貫通開口４ａを開放した図３に一点鎖線で示す開放位置までの範囲を回動するようになっている。
【００３０】
コイルばね５２３は、閉鎖位置から開放位置方向に回動した回動操作本体部５２１を閉鎖位置方向に付勢する。
【００３１】
第１開閉センサー５４ａは、シャッター部材５１が第１貫通開口４ａを塞いでいるか否かを検出するためのもので、この実施形態では、センサー本体部５４１と、センサー本体部５４１から突設された検出片５４２とを備えている。
【００３２】
このように構成された第１開閉センサー５４ａは、検出片５４２が閉鎖位置の回動操作本体部５２１と当接し、且つ回動操作本体部５２１が閉鎖位置から開放位置方向に回動するに伴って検出片５４２が回動操作本体部５２１から離れるように、右側壁２２に保持されている。センサー本体部５４１は、制御部３３に接続され、シャッター部材５１が第１貫通開口４ａを塞いでいる閉塞位置にあることを検出片５４２によって検知すると例えばオン信号を制御部３３へ出力し、シャッター部材５１が第１貫通開口４ａを塞いでいる閉塞位置から外れていることを検出片５４２によって検知すると例えばオフ信号を制御部３３へ出力する。このように第１開閉センサー５４ａは、シャッター部材５１が第１貫通開口４ａを塞いでいるか否かを検出し、その検出結果を制御部３３へ出力する。制御部３３は、第１開閉センサー５４ａの検出結果をモニター３４に表示する。なお、制御部３３は、第１開閉センサー５４ａの検出結果が、シャッター部材５１が第１貫通開口４ａを塞いでいる閉塞位置から外れている場合では光学特性の測定を強制停止しても良い。
【００３３】
この実施形態では、右側壁２２の下端、且つ第１当接部２４１（測定開口３０）の右側の位置に、右側壁２２の一部を内方に凹まされた凹部２２１を備えており、この凹部２２１によって、例えば右側壁２２の右斜め上方側からでも第１当接部２４１（測定開口３０）の位置がわかるようになっている。
【００３４】
左側壁２３は、右側壁２２と略同構成を採っており、右側壁２２と左右対称に配置されている。詳しくは、左側壁２３には、第１貫通４ａと同構成を採る、透光性部材２２１が嵌め込まれた第２貫通開口４ｂが形成されている。
【００３５】
左側壁２３には、第２貫通開口４ｂを開閉する第２シャッター機構５１ｂ〜５４ｂが保持されている。第２シャッター機構５１ｂ〜５４ｂは、第１シャッター機構５１ａ〜５４ａと同構成を採っており、第２シャッター部材５１ｂと、第２開閉操作部材５２ｂと、第２連結部材５３ｂと、第２開閉センサー５４ｂとを備えている（図８参照）。
【００３６】
左側壁２３の下端、且つ第１当接部２４１（測定開口３０）の左側の位置に、左右側壁２３の一部を内方に凹まされた凹部２２１を備えており、この凹部２２１によって、例えば左側壁２２の左斜め上方側からでも第１当接部２４１（測定開口３０）の位置がわかるようになっている。
【００３７】
奥壁２５は、これら上壁２１、底壁２４、右側壁（第１側壁）２２および左側壁（第２側壁）２３を接続することによって形成された箱体の奥部分に開いた開口部分を閉塞する部材である。
【００３８】
以上のように構成された光学特性測定装置１で測定対象１００の所望の測定部位（測定領域、測定位置）の光沢または色彩を測定する場合、測定対象１００の所望の測定部位に測定開口３０を合わせるように、第１当接部２４１および第２当接部２４２が測定対象１００に当接される。
【００３９】
その際、測定開口３０は、光学特性測定装置１の底壁２４に形成されているために外部から見えないが、凹部２２１を目印にすることで測定開口３０の概略の位置が解り、測定対象１００の所望の測定部位が測定開口３０に臨むように略位置合わせできる。
【００４０】
そして、光沢測定用光源３１１を点灯させるとともに、第１操作突片５２２ａおよび第２操作突片５２２ｂのいずれかが選択され、操作される。この第１操作突片５２２ａと第２操作突片５２２ｂとの選択は、操作者の操作し易い方を選択して行えばよく、例えば操作者が右利きの場合、操作し易い右側の第１操作突片５２２ａが選択されて操作されればよく、開放操作し易いものにできる。なお、第１および第２操作突片５２２ａ、５２２ｂともに操作されても良い。
【００４１】
これにより、第１シャッター部材５１ａまたは第２シャッター部材５１ｂが可動して第１貫通開口４ａまたは第２貫通開口４ｂが開放される。そして、この開放された第１貫通開口４ａまたは第２貫通開口４ｂから、光沢測定用光源３１１の光が測定開口３０に臨む測定対象１００の測定部位に当っているが否かを直接的に確認できる。
【００４２】
その際、測色部３２では、測定対象１００に測色測定用光源３２１からの測定光が入射すると、測定対象１００が紙やプラスチックなどの拡散透過性のものである場合、入射光は、内部で拡散してその一部が内部反射光として放射される。その放射範囲は、照明域の周辺に及び、このため、反射域内の反射光量が低下する、いわゆるエッジロスエラーが生じる。そのため、測色部３２では、照射径と測定部位の測定径とが異なる。したがって、測色測定用光源３２１を観察用光源として利用すると、照射径と測定部位の測定径とが異なるため、測定部位を確認し難くなる。
【００４３】
一方、光沢測定部３１では、光沢測定用光源３１１からの光が測定対象１００で反射した鏡面反射光を測定するため、測定対象１００に当たった照射径と測定対象１００の測定部位の測定径とが一致する。そこで、本実施形態のように、測色測定用光源３２１を観察用光源として利用することで、測定対象１００に当たった照射部位を測定対象１００の測定部位に位置合わせすればよく、測定対象１００の測定位置を正確に位置合わせできる。
【００４４】
次に、押圧操作している第１操作突片５２２ａまたは第２操作突片５２２ｂから手を離す。これにより、コイルばね５２３の付勢力によって、操作本体部５２１が上記と反対方向に回動して第１シャッター部材５１ａまたは第２シャッター部材５１ｂが可動して第１貫通開口４ａまたは第２貫通開口４ｂが閉まる。
【００４５】
この状態で、光学特性測定装置１は、光沢測定部３１で測定対象１００の光沢を測定できる。あるいは、光学特性測定装置１は、測色部３２で測定対象１００の色彩を測定できる。この状態では、第１貫通開口４ａまたは第２貫通開口４ｂから外光がハウジング２内に侵入するおそれが少なく、光沢測定部３１での光沢の測定、あるいは、測色部３２での色彩の測定に外光による影響を及ぼす恐れが少ない。
【００４６】
以上説明したように、実施形態における光学特性測定装置１は、ハウジング２に形成された測定対象観察部である貫通開口４ａ、４ｂによって、測定開口３０に臨む測定対象１００を直接的に観察でき、開口時では常時、測定対象１００の測定位置を正確に確認できる。実施形態における光学特性測定装置１は、従来品のようにレンズを介することなく確認できるため、容易に製作でき、低コストで製作できる。
【００４７】
実施形態における光学特性測定装置１は、測定対象観察部がハウジング２に形成された貫通開口４ａ、４ｂから構成されているため、測定対象観察部が、簡単な構成にでき、より低コストで製作できる。
【００４８】
実施形態における光学特性測定装置１は、測定対象観察部が貫通開口４ａ、４ｂを開閉するシャッター機構５１ａ〜５４ａ、５１ｂ〜５４ｂをさらに備えるため、測定対象１００の測定位置を確認する場合、貫通開口４ａ、４ｂを開けることで、測定対象１００の測定位置を確認できる。一方、測定対象１００の光学特性を測定する場合、貫通開口４ａ、４ｂを閉めることで、ハウジング２内に外部から光が侵入することを防止でき、外光が光学特性の測定に影響を及ぼすおそれを少なくでき、光学特性をより正確に測定できる。
【００４９】
シャッター機構５１ａ〜５４ａ、５１ｂ〜５４ｂは、開閉操作部材５２ａ、５２ｂを手動操作することによってシャッター部材５１ａ、５１ｂを開閉操作でき、シャッター部材５１ａ、５１ｂの開閉を容易なものにでき、使用便利なものにできる。
【００５０】
例えば測定対象１００が印刷物や小さい部品である場合には、測定部位を小さい径にして測定することが求められる。その際、測色部３２では、測定対象１００に当る測色測定用光源３２１の照射径を変えずに、受光光学系の測定用受光径切り替えレンズ３２４の位置を変える等して受光エリアを変更して行うため、測色測定用光源３２１を観察用光源とすると、測定部位を小さい径にして測定する場合に測定位置が位置合わせし難い。一方、光沢測定部３１では、測定対象に当たる光沢測定用光源の照射径の大きさを切り替える照射径切り替え部３１２を備え、照射径の大きさを変えることで受光エリアが変更される。したがって、この実施形態のように、光沢測定用光源３１１を観察用光源として利用すると、例えば測定対象１００が印刷物や小さい部品である場合のように、測定部位を小さい径で測定する場合には、まず、照射径測定部位の径よりも大きい状態の照射径で、測定部位が粗く位置合わせされ、その後、照射径切り替え部３１２によって照射径を測定部位の径と同径にして測定部位が細かく位置合わせされる。これにより、小さい径の測定部位に容易にそれと同径の照射部位が位置合わせできる。
【００５１】
なお、上記実施形態では、第１開閉操作部材５２ａと第２開閉操作部材５２ｂとによって第１シャッター部材５１ａと第２シャッター部材５１ｂとを別個独立に可動させるようにしたが、この形態のものに限らず、適宜変更できる。
【００５２】
図９は、前記シャッター機構の変形例の斜視図である。図１０は、図９に示す変形例のシャッター機構がハウジングに取り付けられた状態の斜視図である。
【００５３】
例えば、図９に示すように、第１シャッター部材５１ａと第２シャッター部材５１ｂとを連動させて１つの開閉操作部材１５２の操作で貫通開口４ａ、４ｂを同時に開閉できるように、シャッター機構が構成されてもよい。
【００５４】
より詳しくは、シャッター機構は、２つの第１シャッター部材５１ａおよび第２シャッター部材５１ｂと、第１シャッター部材５１ａに連結した第１連結部材５３ａおよび第２シャッター部材５１ｂに連結した第２連結部材５３ｂと、１つの開閉操作部材１５２とから構成されている。
【００５５】
開閉操作部材１５２は、開閉操作部材本体１５２１と、開閉操作部材本体１５２１の上面から上方に突設されるように開閉操作部材本体１５２１と一体的に形成された操作突片１５２２とを備えている。
【００５６】
開閉操作部材本体１５２１の一端（右端）に、第１連結部材５３ａが回動自在に連結され、開閉操作部材１５２の他端（左端）に、第２連結部材５３ｂが回動自在に連結されている。
【００５７】
開閉操作部材本体１５２１は、図１０に示すように、ハウジング２の上壁２１に、前後方向（Ｘ１−Ｘ２方向）に移動可能に保持されている。開閉操作部材本体１５２１がハウジング２の上壁２１に保持された状態で、操作突片１５２２が、ハウジング２の上壁２１に形成された操作部材受容孔２１１に前後方向に移動可能に受容されている。
【００５８】
このように構成されることで、開閉操作部材１５２が前後方向に移動操作されることにより、第１連結部材５３ａと第２連結部材５３ｂが共に同方向に回動し、その回動に伴い第１シャッター部材５１ａおよび第２シャッター部材５１ｂが連動して同時に貫通開口４ａ、４ｂを開閉できる。
【００５９】
また、上記実施形態では、測定対象観察部は、ハウジング２に形成された貫通開口とされたが、この形態のものに限らず、例えば測定対象観察部は、撮像を行うカメラから構成されてもよい。
【００６０】
図１１は、前記光学特性測定装置が有する測定対象観察部の変形例であるカメラを配置した構成の模式図である。より詳しくは、測定開口３０に臨む測定対象１００を撮像できる位置に、例えばカメラの光軸が測定開口３０の中心位置を通るように、上記貫通開口４ａの位置に相当する右側壁（第１側壁）２２内面側の位置および上記貫通開口４ｂの位置に相当する左側壁（第２側壁）２３内面側の位置のうちの少なくとも一方の位置に、カメラが配置される。図１１に示すように、カメラ１４０は、制御部３３および制御部３３を介してモニター３４と電気的に接続され、カメラ１４０に撮像された測定対象１００がモニター３４で表示できるようになっている。
【００６１】
このように構成されることにより、カメラ１４０を介してモニター３４で、測定開口４ａ、４ｂに臨む測定対象１００を直接的かつ容易に観察でき、常時測定対象１００の測定位置を正確に確認できる。
【００６２】
また、貫通開口４ａ、４ｂの配置位置は、光沢測定用光源３１１および測色測定用光源３２１からの光路および光路延長線と重ならない位置に配置されていることが好ましい。また、貫通開口４ａ、４ｂの位置は、測定開口３０に対して、測定開口３０を通る法線Ｐよりも後方側である光沢測定用受光レンズ３１４側であることが好ましく、より好ましくは、図７に示すように、測定開口３０を通る法線Ｐ上である。
【００６３】
また、上記実施形態では、２つの貫通開口４ａ、４ｂを有するものとされたが、右側壁２２と左側壁２３との何れか一方に形成された１つの貫通開口から構成されてもよい。また、貫通開口４ａ、４ｂは、側壁に形成されるものに限らず、例えば上壁に形成されてもよく、適宜に変更できる。
【００６４】
また、上記実施形態では、観察用光源は、光沢測定用光源３１１とされたが、この形態のものに限らず、例えば測色測定用光源３２１を観察用光源として用い、あるいは、観察用光源は、光沢測定用光源３１１や測色測定用光源３２１とは別途に設けられたものでもよく、適宜に変更できる。
【００６５】
また、上記実施形態では、開閉操作部材は、手動操作されるように構成されたが、この形態のものに限らず、例えば開閉操作部材を駆動モータによって操作し、あるいは、シャッター部材５１ａ、５１ｂを駆動モータによって直接開閉操作するようにしてもよく、適宜に変更できる。
【００６６】
本明細書は、上記のように様々な態様の技術を開示しているが、そのうち主な技術を以下に纏める。
【００６７】
一態様にかかる光学特性測定装置は、測定開口を有し、互いに異なるジオメトリの複数の光学系を用いることによって前記測定開口に臨む測定対象における互いに異なる複数の光学特性を測定する光学特性測定部と、前記測定開口に臨む前記測定対象を直接的に観察する測定対象観察部と、前記測定開口に臨む前記測定対象を照明する観察用光源とを備える。
【００６８】
このような光学特性測定装置は、測定対象観察部によって、測定開口に臨む測定対象を直接的に観察でき、測定対象の測定位置を明確かつ正確に確認できる。上記光学特性測定装置は、従来のようにレンズを介さないで確認できるため、容易に製作でき、低コストで製作できる。
【００６９】
他の一態様では、上述の光学特性測定装置において、前記光学特性測定部を収容するハウジングをさらに備え、前記測定対象観察部は、前記ハウジングに形成された貫通開口である。
【００７０】
このような光学特性測定装置は、ハウジングに貫通開口を形成すればよく、簡単な構成にでき、より低コストで製作できる。
【００７１】
他の一態様では、上述の光学特性測定装置において、前記貫通開口に嵌め込まれた透光性部材をさらに備える。
【００７２】
このような光学特性測定装置は、貫通開口からハウジング内に塵等が入り込むおそれを少なくでき、光学特性測定部でより正確に測定できる。
【００７３】
他の一態様では、これら上述の光学特性測定装置において、前記測定対象観察部は、前記貫通開口を開閉するシャッター機構をさらに備える。
【００７４】
このような光学特性測定装置は、測定対象の測定位置を確認する場合には貫通開口を開けることで、測定対象の測定位置を確認できる。一方、測定対象の光学特性を測定する場合には、貫通開口を閉めることで、ハウジング内に外部から光が侵入するおそれを少なくでき、外光が光学特性の測定に影響を及ぼすおそれが少なく、光学特性をより正確に測定できる。
【００７５】
他の一態様では、上述の光学特性測定装置において、前記シャッター機構は、前記貫通開口を開閉するシャッター部材と、前記シャッター部材を開閉操作する開閉操作部材とを備える。
【００７６】
このような光学特性測定装置は、開閉操作部材によってシャッター部材を開閉操作でき、シャッター部材の開閉を容易なものにでき、使用便利なものにできる。
【００７７】
他の一態様では、上述の光学特性測定装置において、前記開閉操作部材は、前記ハウジングの外部から手動可能に前記ハウジングに保持される。
【００７８】
このような光学特性測定装置は、シャッター部材の開閉を、より一層、容易なものにでき、より一層、使用便利なものにできる。
【００７９】
他の一態様では、これら上述の光学特性測定装置において、前記ハウジングは、前記測定開口を挟んで前記測定開口の両側に対向配置された第１および第２側壁を備え、前記貫通開口は、前記第１側壁に形成された第１貫通開口と、前記第２側壁に形成され第２貫通開口とを備える。
【００８０】
このような光学特性測定装置は、第１側壁と第２側壁とのいずれかの貫通開口から測定対象の測定位置を確認できる。したがって、上記光学特性測定装置は、例えば使用者によって確認し易い貫通開口から測定対象の測定位置を確認でき、使用し易いものになる。
【００８１】
他の一態様では、これら上述の光学特性測定装置において、前記シャッター部材は、前記第１貫通開口を開閉する第１シャッター部材と、前記第２貫通開口を開閉する第２シャッター部材とを備え、前記開閉操作部材は、１つであり、前記開閉操作部材の操作に伴って前記第１シャッター部材と前記第２シャッター部材とが連動し得るように前記開閉操作部材と第１シャッター部材および前記第２貫通開口とが連結されている。
【００８２】
このような光学特性測定装置は、１つの開閉操作部材を操作することで、第１シャッター部材と第２シャッター部材とを同時に開閉操作でき、２つの第１シャッター部材および第２シャッター部材の開閉操作を容易なものにできる。
【００８３】
他の一態様では、これら上述の光学特性測定装置において、前記光学特性測定部は、前記測定対象の光学特性を測定するために前記測定開口に臨む前記測定対象に測定光を当てる光源を備え、前記貫通開口は、前記光源からの光路および光路延長線と重ならない位置に配置されている。
【００８４】
このような光学特性測定装置は、例えば外部の光が貫通開口から内部に侵入した場合でも、前記貫通開口を介した外部の光が光学特性の測定に影響を及ぼすおそれを少なくでき、光学特性をより正確に測定できる。
【００８５】
他の一態様では、上述の光学特性測定装置において、前記測定対象観察部は、前記測定開口に臨む前記測定対象を直接的に撮像するカメラと、前記カメラで撮像された前記測定対象を表示する表示部とを備える。
【００８６】
このような光学特性測定装置は、カメラを介して表示部で、測定開口に臨む測定対象を直接的に観察でき、測定対象の測定位置を正確に確認できる。
【００８７】
他の一態様では、これら上述の光学特性測定装置において、前記光学特性測定部は、前記測定対象の光沢を測定する光沢測定部を備え、前記光沢測定部は、前記測定対象に測定光を当てる光沢測定用光源を備え、前記観察用光源は、前記光沢測定用光源である。
【００８８】
このような光学特性測定装置では、光沢測定部は、光沢測定用光源から測定対象で反射した鏡面反射光を測定するため、測定対象に当たった光沢測定用光源からの照射径と測定対象の測定部位とが一致する。したがって、上記光学特性測定装置は、測定対象に当たった照射部位を測定対象の測定部位に位置合わせすればよく、測定対象の測定位置を正確に位置合わせできる。
【００８９】
他の一態様では、これら上述の光学特性測定装置において、前記光沢測定部は、前記光沢測定用光源が前記測定対象に当たる光沢用照射径の大きさを切り替える照射径切り替え部を備える。
【００９０】
このような光学特性測定装置では、光沢測定部は、測定対象に当たる光沢測定用光源の光沢用照射径の大きさを切り替える照射径切り替え部を備えているため、例えば測定対象が印刷物や小さい部品における測定部位を小さい径で測定する場合には、まず、測定部位の径よりも大きい状態の照射径で、測定部位を粗く位置合わせし、その後、照射径切り替え部によって照射径を測定部位の径と同径にして測定部位に細かく位置合わせする。これにより、小さい径の測定部位に容易に光沢用照射径を位置合わせできる。
【００９１】
この出願は、２０１６年５月９日に出願された日本国特許出願特願２０１６−９３７３１を基礎とするものであり、その内容は、本願に含まれるものである。
【００９２】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【００９３】
本発明によれば、光学特性測定装置が提供できる。
【図１】
2017195573.tif 000003
【図２】
2017195573.tif 000004
【図３】
2017195573.tif 000005
【図４】
2017195573.tif 000006
【図５】
2017195573.tif 000007
【図６】
2017195573.tif 000008
【図７】
2017195573.tif 000009
【図８】
2017195573.tif 000010
【図９】
2017195573.tif 000011
【図１０】
2017195573.tif 000012
【図１１】
2017195573.tif 000013
【国際調査報告】
2017195573.tif 000014
2017195573.tif 000015
2017195573.tif 000016
2017195573.tif 000017